(57)【要約】  管理領域に対する利用者の出入りの履歴を正確に管理することができる入退室管理システムを提供する。入退室管理システムは、管理領域の出入口の外側においてタグが送信した識別情報を受信する外側受信装置と、前記管理領域の出入口の内側においてタグが送信した識別情報を受信する内側受信装置と、利用者が前記管理領域の出入口において識別情報に基づいた認証操作を行った際に、当該認証操作が行われてから一定時間が経過するまでの前記外側受信装置と前記内側受信装置との識別情報の受信状況に基づいて、前記管理領域に対する当該識別情報に対応した利用者の出入りの履歴を管理する管理装置と、を備えた。
2017187603.tif 000002
【特許請求の範囲】
【請求項１】
管理領域の出入口の外側においてタグが送信した識別情報を受信する外側受信装置と、
前記管理領域の出入口の内側においてタグが送信した識別情報を受信する内側受信装置と、
利用者が前記管理領域の出入口において識別情報に基づいた認証操作を行った際に、当該認証操作が行われてから一定時間が経過するまでの前記外側受信装置と前記内側受信装置との識別情報の受信状況に基づいて、前記管理領域に対する当該識別情報に対応した利用者の出入りの履歴を管理する管理装置と、
を備えた入退室管理システム。
【請求項２】
前記管理装置は、利用者が前記管理領域の出入口において識別情報に基づいた認証操作を行った際に当該利用者を認証した場合に、前記出入口に設けられた扉の施錠を一定時間解放した後に前記扉を施錠するまでの前記外側受信装置と前記内側受信装置との識別情報の受信状況に基づいて、前記管理領域に対する当該識別情報に対応した利用者の出入りの履歴を管理する請求項１に記載の入退室管理システム。
【請求項３】
前記管理領域の出入口に設けられ、前記利用者によるカードの操作を受け付け、当該カードから識別情報を読み取る認証端末、
を備え、
前記管理装置は、前記認証端末により読み取られた識別情報に基づいて認証処理を行う請求項１又は請求項２に記載の入退室管理システム。
【請求項４】
前記管理領域の出入口において前記利用者のタグが送信した識別情報を受信する認証用受信装置、
を備え、
前記管理装置は、前記認証用受信装置により受信された識別情報に基づいて認証処理を行う請求項１または請求項２に記載の入退室管理システム。
【発明の詳細な説明】
【技術分野】
【０００１】
この発明は、入退室管理システムに関する。
【背景技術】
【０００２】
特許文献１は、入退室管理システムを開示する。当該入退室管理システムにおいては、管理領域に対する利用者の出入りの履歴を管理する。例えば、管理領域の外側において利用者が認証操作を行うと、入退室管理システムは、当該利用者が管理領域の内側に存在すると認識する。
【先行技術文献】
【特許文献】
【０００３】
【特許文献１】日本特開２０１５−２０９６７３号公報
【発明の概要】
【発明が解決しようとする課題】
【０００４】
しかしながら、利用者は、管理領域の外側において認証操作を行った後に管理領域の内側に進入しないこともある。このため、管理領域に対する利用者の出入りの履歴を正確に管理することができない。【０００５】
この発明は、上述の課題を解決するためになされた。この発明の目的は、管理領域に対する利用者の出入りの履歴を正確に管理することができる入退室管理システムを提供することである。
【課題を解決するための手段】
【０００６】
この発明に係る入退室管理システムは、管理領域の出入口の外側においてタグが送信した識別情報を受信する外側受信装置と、前記管理領域の出入口の内側においてタグが送信した識別情報を受信する内側受信装置と、利用者が前記管理領域の出入口において識別情報に基づいた認証操作を行った際に、当該認証操作が行われてから一定時間が経過するまでの前記外側受信装置と前記内側受信装置との識別情報の受信状況に基づいて、前記管理領域に対する当該識別情報に対応した利用者の出入りの履歴を管理する管理装置と、を備えた。
【発明の効果】
【０００７】
これらの発明によれば、管理領域に対する利用者の出入りの履歴は、外側読取装置と内側読取装置との識別情報の受信状況に基づいて管理される。このため、管理領域に対する利用者の出入りの履歴を正確に管理することができる。
【図面の簡単な説明】
【０００８】
【図１】この発明の実態の形態１における入退室管理システムの構成図である。
【図２】この発明の実態の形態１における入退室管理システムによる電子錠の制御の一例を説明するための図である。
【図３】この発明の実態の形態１における入退室管理システムの管理装置のブロック図である。
【図４】この発明の実態の形態１における入退室管理システムの管理装置の動作を説明するためのフローチャートである。
【図５】この発明の実施の形態１における入退室管理システムの管理装置のハードウェア構成図である。
【図６】この発明の実態の形態２における入退室管理システムの構成図である。
【図７】この発明の実態の形態２における入退室管理システムによる電子錠の制御の一例を説明するための図である。
【発明を実施するための形態】
【０００９】
この発明を実施するための形態について添付の図面に従って説明する。なお、各図中、同一又は相当する部分には同一の符号が付される。当該部分の重複説明は適宜に簡略化または省略する。
【００１０】
実施の形態１．
図１はこの発明の実態の形態１における入退室管理システムの構成図である。
【００１１】
図１に示すように、扉１は、管理領域の出入口に設けられる。扉１は、図示しない電子錠を備える。
【００１２】
外側認証端末２は、管理領域の出入口の外側に設けられる。外側認証端末２は、扉１に隣接して設けられる。内側認証端末３は、管理領域の出入口の内側に設けられる。内側認証端末３は、扉１に隣接して設けられる。
【００１３】
外側受信装置４は、管理領域の出入口の外側に設けられる。外側受信装置４は、管理領域の出入口の外側における一定領域が読取範囲となるように設定される。内側受信装置５は、管理領域の出入口の内側に設けられる。内側受信装置５は、管理領域の出入口の内側の一定領域が読取範囲となるように設定される。
【００１４】
例えば、管理装置６は、図示しない管理室に設けられる。管理装置６の入力部は、外側認証端末２の出力部と内側認証端末３の出力部と外側受信装置４の出力部と内側受信装置５の出力部とに接続される。管理装置６の出力部は、電子錠の入力部に接続される。
【００１５】
利用者は、カード７とハンズフリータグ８とを携帯する。
【００１６】
外側認証端末２は、利用者によるカード７の操作を受け付ける。この際、外側認証端末２は、カード７から識別情報を読み取る。管理装置６は、外側認証端末２により読み取られた識別情報に基づいて認証処理を行う。管理装置６は、当該識別情報を認証しない際に電子錠による扉１の施錠を維持する。管理装置６は、当該識別情報を認証した際に電子錠による扉１の施錠を解放する。例えば、管理装置６は、電子錠による扉１の施錠を解放した後に一定時間が経過した際に電子錠による扉１の施錠を行う。例えば、管理装置６は、電子錠による扉１の施錠を解放した後に扉１が閉まった際に電子錠による扉１の施錠を行う。
【００１７】
内側認証端末３は、利用者によるカード７の操作を受け付ける。この際、内側認証端末３は、カード７から識別情報を読み取る。管理装置６は、内側認証端末３により読み取られた識別情報に基づいて認証処理を行う。管理装置６は、当該識別情報を認証しない際に電子錠による扉１の施錠を維持する。管理装置６は、当該識別情報を認証した際に電子錠による扉１の施錠を解放する。例えば、管理装置６は、電子錠による扉１の施錠を解放した後に一定時間が経過した際に電子錠による扉１の施錠を行う。例えば、管理装置６は、電子錠による扉１の施錠を解放した後に扉１が閉まった際に電子錠による扉１の施錠を行う。
【００１８】
外側受信装置４は、電波範囲内に存在するハンズフリータグ８が送信した識別情報を受信する。管理装置６は、外側受信装置４が識別情報を受信している際に当該識別情報に対応したハンズフリータグ８が管理領域の外側に存在していることを把握する。
【００１９】
内側受信装置５は、電波範囲内に存在するハンズフリータグ８が送信した識別情報を受信する。管理装置６は、内側受信装置５が識別情報を受信している際に当該識別情報に対応したハンズフリータグ８が管理領域の内側に存在していることを把握する。
【００２０】
次に、図２を用いて、電子錠の制御の一例を説明する。
図２はこの発明の実態の形態１における入退室管理システムによる電子錠の制御の一例を説明するための図である。
【００２１】
状況Ａは、初期の状況である。その後、状況Ｂに示すように、利用者は、外側受信装置４の電波範囲に進入する。その後、状況Ｃに示すように、利用者は、外側認証端末２に対して認証操作を行う。具体的には、利用者は、外側認証端末２に対してカード７を操作する。この際、扉１は、電子錠により一時的に解錠される。
【００２２】
通常動作においては、状況Ｄに示すように、利用者は、出入口を通過して内側受信装置５の電波範囲に進入する。その後、状況Ｅに示すように、扉１は、電子錠により施錠される。
【００２３】
第１当て逃げ動作においては、状況Ｆに示すように、利用者は、出入口を通過せずに外側受信装置４の電波範囲に進入する。その後、状況Ｅに示すように、扉１は、電子錠により施錠される。
【００２４】
第２当て逃げ動作においては、状況Ｄに示すように、利用者は、出入口を通過して内側受信装置５の電波範囲に進入する。その後、状況Ｆに示すように、利用者は、出入口を通過して外側受信装置４の電波範囲に進入する。その後、状況Ｅに示すように、扉１は、電子錠により施錠される。
【００２５】
なお、内側認証端末３に対するカード７の操作を起点にした際も、同様の制御が行われる。
【００２６】
次に、図３を用いて、管理装置６を説明する。
図３はこの発明の実態の形態１における入退室管理システムの管理装置のブロック図である。
【００２７】
図３に示すように、管理装置６は、認証部６ａと電子錠制御部６ｂと履歴記憶部６ｃと補正情報記憶部６ｄと記憶制御部６ｅとを備える。
【００２８】
認証部６ａは、外側認証端末２に対する認証操作に基づいて識別情報を認証するか否かを判定する。認証部６ａは、内側認証端末３に対する認証操作に基づいて識別情報を認証するか否かを判定する。電子錠制御部６ｂは、認証部６ａが識別情報を認証した際に電子錠による扉１の施錠を維持する。電子錠制御部６ｂは、認証部６ａが識別情報を認証した際に電子錠による扉１の施錠を解放する。
【００２９】
履歴記憶部６ｃは、管理領域の出入りの履歴の情報を識別情報に対応付けて記憶する。補正情報記憶部６ｄは、履歴記憶部６ｃの情報を補正する際の情報を識別情報に対応付けて記憶する。
【００３０】
記憶制御部６ｅは、外側受信装置４と内側受信装置５との識別情報の受信状況に基づいて補正情報記憶部６ｄに対して情報を記憶させる。記憶制御部６ｅは、記憶制御部６ｅに記憶された情報に基づいて履歴記憶部６ｃに記憶された情報を更新する。
【００３１】
次に、図４を用いて、管理装置６の動作を説明する。
図４はこの発明の実態の形態１における入退室管理システムの管理装置の動作を説明するためのフローチャートである。
【００３２】
ステップＳ１では、認証部６ａは、認証操作に基づいて識別情報を認証する。その後、ステップＳ２に進む。ステップＳ２では、電子錠制御部６ｂは、電子錠による扉１の施錠を解放する。その後、ステップＳ３に進む。ステップＳ３では、記憶制御部６ｅは、認証操作の内容を判定する。具体的には、記憶制御部６ｅは、認証操作が外側認証端末２と内側認証端末３とのうちのどちらに対してなされたかを判定する。
【００３３】
ステップＳ３で認証操作が外側認証端末２に対してなされた場合は、ステップＳ４ａに進む。ステップＳ４ａでは、記憶制御部６ｅは、履歴記憶部６ｃに対して管理領域の出入りの履歴の情報として入室の情報を認証された識別情報に対応付けて記憶させる。その後、ステップＳ５ａに進む。
【００３４】
ステップＳ５ａでは、記憶制御部６ｅは、補正情報記憶部６ｄに対して通知済状態の情報として入室の情報を認証された識別情報に対応付けて記憶させる。記憶制御部６ｅは、補正情報記憶部６ｄに対して補正用状態の情報として入室の情報を認証された識別情報に対応付けて記憶させる。その後、ステップＳ６に進む。
【００３５】
ステップＳ３で認証操作が内側認証端末３に対してなされた場合は、ステップＳ４ｂに進む。ステップＳ４ｂでは、記憶制御部６ｅは、履歴記憶部６ｃに対して管理領域の出入りの履歴の情報として退室の情報を認証された識別情報に対応付けて記憶させる。その後、ステップＳ５ｂに進む。
【００３６】
ステップＳ５ｂでは、記憶制御部６ｅは、補正情報記憶部６ｄに対して通知済状態の情報として退室の情報を認証された識別情報に対応付けて記憶させる。記憶制御部６ｅは、補正情報記憶部６ｄに対して補正用状態の情報として退室の情報を認証された識別情報に対応付けて記憶させる。その後、ステップＳ６に進む。
【００３７】
ステップＳ６では、記憶制御部６ｅは、扉１が電子錠により施錠されているかを判定する。
【００３８】
ステップＳ６で扉１が電子錠により施錠されていない場合は、ステップＳ７に進む。ステップＳ７では、記憶制御部６ｅは、外側受信装置４が補正情報記憶部６ｄに記憶されている識別情報を受信しているか否かを判定する。
【００３９】
ステップＳ７で外側受信装置４が補正情報記憶部６ｄに記憶されている識別情報を受信している場合は、ステップＳ８に進む。ステップＳ８では、記憶制御部６ｅは、補正情報記憶部６ｄに対して当該識別情報に対応した補正用状態の情報として退室の情報を記憶させる。その後、ステップＳ９に進む。
【００４０】
ステップＳ７で外側受信装置４が補正情報記憶部６ｄに記憶されている識別情報を受信していない場合は、ステップＳ８を経由せずにステップＳ９に進む。
【００４１】
ステップＳ９では、記憶制御部６ｅは、内側受信装置５が補正情報記憶部６ｄに記憶されている識別情報を受信しているか否かを判定する。
【００４２】
ステップＳ９で内側受信装置５が補正情報記憶部６ｄに記憶されている識別情報を受信している場合は、ステップＳ１０に進む。ステップＳ１０では、記憶制御部６ｅは、補正情報記憶部６ｄに対して当該識別情報に対応した補正用状態の情報として入室の情報を記憶させる。その後、ステップＳ１１に進む。
【００４３】
ステップＳ９で内側受信装置５が補正情報記憶部６ｄに記憶されている識別情報を受信していない場合は、ステップＳ１０を経由せずにステップＳ１１に進む。
【００４４】
ステップＳ１１では、記憶制御部６ｅは、認証部６ａにより認証された識別情報があるか否かを判定する。ステップＳ１１で認証部６ａにより認証された識別情報がある場合は、ステップＳ３に戻る。ステップＳ１１で認証部６ａにより認証された識別情報がない場合は、ステップＳ６に戻る。
【００４５】
ステップＳ６で扉１が電子錠により施錠された場合は、ステップＳ１２に進む。ステップＳ１２では、記憶制御部６ｅは、補正情報記憶部６ｄに記憶された識別情報の全てにおいて通知済状態と補正用状態とが一致しているか否かを判定する。
【００４６】
ステップＳ１２で補正情報記憶部６ｄに記憶された識別情報のいずれかにおいて通知済状態の情報と補正用状態の情報とが一致していない場合は、ステップＳ１３に進む。ステップＳ１３では、記憶制御部６ｅは、履歴記憶部６ｃに対して当該識別情報に対応した履歴の情報を補正用状態の情報に更新させる。その後、ステップＳ１４に進む。
【００４７】
ステップＳ１２で補正情報記憶部６ｄに記憶された識別情報の全ての通知済状態の情報と補正用状態の情報とが一致している場合は、ステップＳ１３を経由せずにステップＳ１４に進む。
【００４８】
ステップＳ１４では、記憶制御部６ｅは、補正情報記憶部６ｄの情報の全てを削除する。その後、動作が終了する。
【００４９】
以上で説明した実施の形態１によれば、管理領域に対する利用者の出入りの履歴は、外側受信装置４と内側受信装置５との識別情報の受信状況に基づいて管理される。このため、管理領域に対する利用者の出入りの履歴を正確に管理することができる。
【００５０】
具体的には、識別情報に対応した利用者の出入りの履歴は、扉１の施錠が一定時間解放された後に扉１が施錠されるまでの外側受信装置４と内側受信装置５との識別情報の受信状況に基づいて管理される。このため、管理領域に対する利用者の出入りの履歴をより正確に管理することができる。
【００５１】
一定時間は、扉１の施錠が解放されてから利用者が扉１を実際に開けるために充分な時間に設定される。例えば、一定時間は、１０秒である。一定時間は、１０秒に限られない。一定時間は、管理装置６の管理者等により適宜設定される。
【００５２】
また、認証処理は、外側認証端末２または内側認証端末３により読み取られた識別情報に基づいて行われる。このため、カード７を使用して意識的に電子錠の制御を行うことができる。
【００５３】
また、図４のフローによれば、扉１の施錠が解放された後に扉１が施錠されるまでに複数の利用者が認証操作を行った場合でも、管理領域に対する複数の利用者の出入りの履歴を正確に管理することができる。
【００５４】
次に、図５を用いて、管理装置６の例を説明する。
図５はこの発明の実施の形態１における入退室管理システムの管理装置のハードウェア構成図である。
【００５５】
管理装置６の各機能は、処理回路により実現し得る。例えば、処理回路は、少なくとも１つのプロセッサ９ａと少なくとも１つのメモリ９ｂとを備える。例えば、処理回路は、少なくとも１つの専用のハードウェア１０を備える。
【００５６】
処理回路が少なくとも１つのプロセッサ９ａと少なくとも１つのメモリ９ｂとを備える場合、管理装置６の各機能は、ソフトウェア、ファームウェア、又はソフトウェアとファームウェアとの組み合わせにより実現される。ソフトウェアおよびファームウェアの少なくとも一方は、プログラムとして記述される。ソフトウェアおよびファームウェアの少なくとも一方は、少なくとも１つのメモリ９ｂに格納される。少なくとも１つのプロセッサ９ａは、少なくとも１つのメモリ９ｂに記憶されたプログラムを読み出して実行することにより、管理装置６の各機能を実現する。少なくとも１つのプロセッサ９ａは、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。例えば、少なくとも１つのメモリ９ｂは、ＲＡＭ、ＲＯＭ、フラッシュメモリ、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等である。
【００５７】
処理回路が少なくとも１つの専用のハードウェア１０を備える場合、処理回路は、例えば、単一回路、複合回路、プログラム化したプロセッサ、並列プログラム化したプロセッサ、ＡＳＩＣ、ＦＰＧＡ、又はこれらを組み合わせたものである。例えば、管理装置６の各機能は、それぞれ処理回路で実現される。例えば、管理装置６の各機能は、まとめて処理回路で実現される。
【００５８】
管理装置６の各機能について、一部を専用のハードウェア１０で実現し、他部をソフトウェア又はファームウェアで実現してもよい。例えば、認証部６ａの機能については専用のハードウェア１０としての処理回路で実現し、認証部６ａ以外の機能については少なくとも１つのプロセッサ９ａが少なくとも１つのメモリ９ｂに格納されたプログラムを読み出して実行することによって実現してもよい。
【００５９】
このように、処理回路は、ハードウェア１０、ソフトウェア、ファームウェア、又はこれらの組み合わせによって、管理装置６の各機能を実現する。
【００６０】
実施の形態２．
図６はこの発明の実態の形態２における入退室管理システムの構成図である。なお、実施の形態１と同一又は相当部分には、同一符号が付される。当該部分の説明は省略される。
【００６１】
図６において、外側認証用受信装置１１は、管理領域の出入口の外側に設けられる。外側認証用受信装置１１は、管理領域の出入口の外側において読取範囲が外側受信装置４の読取範囲よりも扉１の側となるように設定される。外側認証用受信装置１１の読取範囲は、外側受信装置４の読取範囲と重ならない。
【００６２】
内側認証用受信装置１２は、管理領域の内側に設けられる。内側認証用受信装置１２は、管理領域の出入口の内側において読取範囲が内側受信装置５の読取範囲よりも扉１の側となるように設定される。内側認証用受信装置１２の読取範囲は、内側受信装置５の読取範囲と重ならない。
【００６３】
利用者は、ハンズフリータグ８を携帯する。利用者は、カード７を携帯しない。
【００６４】
外側認証用受信装置１１は、電波範囲内に存在するハンズフリータグ８が送信した識別情報を受信する。管理装置６は、外側認証用受信装置１１により受信された識別情報に基づいて認証処理を行う。この際、外側認証端末２による認証操作が必要なこともある。
【００６５】
内側認証用受信装置１２は、電波範囲内に存在するハンズフリータグ８が送信した識別情報を受信する。管理装置６は、内側認証用受信装置１２により受信された識別情報に基づいて認証処理を行う。この際、内側認証端末３による認証操作が必要なこともある。
【００６６】
次に、図７を用いて、電子錠の制御の一例を説明する。
図７はこの発明の実態の形態２における入退室管理システムによる電子錠の制御の一例を説明するための図である。
【００６７】
状況Ａは、初期の状況である。その後、状況Ｂに示すように、利用者は、外側受信装置４の電波範囲に進入する。その後、状況Ｃに示すように、利用者は、外側認証用受信装置１１の電波範囲に進入して認証操作を行う。例えば、認証処理は、利用者が外側認証用受信装置１１の電波範囲に進入するだけで行われる。例えば、認証処理は、利用者が図示しないセンサに手をかざすことで行われる。例えば、認証処理は、利用者がハンズフリータグ８のボタンを押すことで行われる。この際、扉１は、電子錠により一時的に解錠される。
【００６８】
通常動作においては、状況Ｄに示すように、利用者は、出入口を通過して内側受信装置５の電波範囲に進入する。その後、状況Ｅに示すように、扉１は、電子錠により施錠される。
【００６９】
第１当て逃げ動作においては、状況Ｆに示すように、利用者は、出入口を通過せずに外側受信装置４の電波範囲に進入する。その後、状況Ｅに示すように、扉１は、電子錠により施錠される。
【００７０】
第２当て逃げ動作においては、状況Ｄに示すように、利用者は、出入口を通過して内側受信装置５の電波範囲に進入する。その後、状況Ｆに示すように、利用者は、出入口を通過して外側受信装置４の電波範囲に進入する。その後、状況Ｅに示すように、扉１は、電子錠により施錠される。
【００７１】
なお、外側認証用受信装置１１の読取範囲への進入を起点にした際も、同様の制御が行われる。
【００７２】
また、実施の形態２の管理装置６の動作は、図４で示したフローと同様のフローで行われる。
【００７３】
ただし、ステップＳ３では、記憶制御部６ｅは、認証操作が外側認証用受信装置１１の側と内側認証用受信装置１２の側とのうちのどちらの側においてなされたかを判定する。
【００７４】
ステップＳ３で認証操作が外側認証用受信装置１１の側においてなされた場合は、ステップＳ４ａに進む。ステップＳ３で認証操作が内側認証用受信装置１２の側においてなされた場合は、ステップＳ４ｂに進む。
【００７５】
以上で説明した実施の形態２によれば、認証処理は、外側認証用受信装置１１また内側認証用受信装置１２により受信された識別情報に基づいて行われる。このため、カード７を必要とすることなく、電子錠の制御を行うことができる。
【００７６】
なお、外側受信装置４の読取範囲の一部と外側認証用受信装置１１の読取範囲の一部とが重なってもよい。内側受信装置５の読取範囲の一部と内側認証用受信装置１２の読取範囲の一部とが重なってもよい。
【００７７】
また、自動ドアが設けられた出入口に対して実施の形態１または実施の形態２の入退室管理システムを適用してもよい。この際、認証処理結果に基づいて当該出入口の自動ドアの開閉を制御すればよい。この場合も、管理領域に対する利用者の出入りの履歴を正確に管理することができる。
【００７８】
また、セキュリティゲートが設けられた出入口に対して実施の形態１または実施の形態２の入退室管理システムを適用してもよい。この際、認証処理結果に基づいて当該出入口のセキュリティゲートの開閉を制御すればよい。この場合も、管理領域に対する利用者の出入りの履歴を正確に管理することができる。
【００７９】
また、実施の形態１または実施の形態２において、生体認証により認証処理を行ってもよい。この場合も、管理領域に対する利用者の出入りの履歴を正確に管理することができる。
【産業上の利用可能性】
【００８０】
以上のように、入退室管理システムは、管理領域に対する利用者の出入りの履歴を管理するシステムに利用できる。
【符号の説明】
【００８１】
１  扉、  ２  外側認証端末、  ３  内側認証端末、  ４  外側受信装置、  ５  内側受信装置、  ６  管理装置、  ６ａ  認証部、  ６ｂ  電子錠制御部、  ６ｃ  履歴記憶部、  ６ｄ  補正情報記憶部、  ６ｅ  記憶制御部、  ７  カード、  ８  ハンズフリータグ、  ９ａ  プロセッサ、  ９ｂ  メモリ、  １０  ハードウェア、  １１  外側認証用受信装置、  １２  内側認証用受信装置
【図１】
2017187603.tif 000003
【図２】
2017187603.tif 000004
【図３】
2017187603.tif 000005
【図４】
2017187603.tif 000006
【図５】
2017187603.tif 000007
【図６】
2017187603.tif 000008
【図７】
2017187603.tif 000009
【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
管理領域の出入口の外側においてタグが送信した識別情報を受信する外側受信装置と、
前記管理領域の出入口の内側においてタグが送信した識別情報を受信する内側受信装置と、
利用者が前記管理領域の出入口において識別情報に基づいた認証操作を行った際に、当該認証操作が行われてから一定時間が経過するまでの前記外側受信装置と前記内側受信装置との識別情報の受信状況に基づいて、前記管理領域に対する当該識別情報に対応した利用者の出入りの履歴を管理する管理装置と、
を備え、
前記管理装置は、利用者が前記管理領域の出入口において識別情報に基づいた認証操作を行った際に当該利用者を認証した場合に、前記出入口に設けられた扉の施錠を一定時間解放した後に前記扉を施錠するまでの前記外側受信装置と前記内側受信装置との識別情報の受信状況と、前記扉を施錠後の前記外側受信装置と前記内側受信装置との前記外側受信装置と前記内側受信装置との識別情報の受信状況とに基づいて、前記管理領域に対する当該識別情報に対応した利用者の出入りの履歴を管理する入退室管理システム。
【請求項２】
前記管理領域の出入口に設けられ、前記利用者によるカードの操作を受け付け、当該カードから識別情報を読み取る認証端末、
を備え、
前記管理装置は、前記認証端末により読み取られた識別情報に基づいて認証処理を行う請求項１に記載の入退室管理システム。
【請求項３】
前記管理領域の出入口において前記利用者のタグが送信した識別情報を受信する認証用受信装置、
を備え、
前記管理装置は、前記認証用受信装置により受信された識別情報に基づいて認証処理を行う請求項１に記載の入退室管理システム。
【手続補正２】
【補正対象書類名】明細書
【補正対象項目名】０００６
【補正方法】変更
【補正の内容】
【０００６】
この発明に係る入退室管理システムは、管理領域の出入口の外側においてタグが送信した識別情報を受信する外側受信装置と、前記管理領域の出入口の内側においてタグが送信した識別情報を受信する内側受信装置と、利用者が前記管理領域の出入口において識別情報に基づいた認証操作を行った際に、当該認証操作が行われてから一定時間が経過するまでの前記外側受信装置と前記内側受信装置との識別情報の受信状況に基づいて、前記管理領域に対する当該識別情報に対応した利用者の出入りの履歴を管理する管理装置と、を備え、前記管理装置は、利用者が前記管理領域の出入口において識別情報に基づいた認証操作を行った際に当該利用者を認証した場合に、前記出入口に設けられた扉の施錠を一定時間解放した後に前記扉を施錠するまでの前記外側受信装置と前記内側受信装置との識別情報の受信状況と、前記扉を施錠後の前記外側受信装置と前記内側受信装置との前記外側受信装置と前記内側受信装置との識別情報の受信状況とに基づいて、前記管理領域に対する当該識別情報に対応した利用者の出入りの履歴を管理する。
【国際調査報告】
2017187603.tif 000010
2017187603.tif 000011
2017187603.tif 000012
2017187603.tif 000013